(57)【要約】【課題】ポートにてアクセスする機能を割り当てたが、これらのインターフェースを標準化することで、接続する機器に依存せず、通信端末がもつ通信機能を端末内の各機能で使用することができ、また、複数の相手端末との通信を同時に行える通信端末を提供する。【解決手段】ＧＰＳ受信機４の設定機能と位置情報取得機能を有するＧＰＳ基板と、ＣＰＵ基板と、を備え、ＣＰＵ基板は、ＧＰＳ基板用ポート７とＴＣＰ・ＵＤＰ／ＩＰ通信用ポート６とを有する通信端末１。ＣＰＵ基板は、通信端末内部状態設定・制御用ポートを有する。イーサネットインターフェース、有線通信インターフェース及び無線通信インターフェースを有する。【選択図】図２
2007324701.tif 000002
【特許請求の範囲】
【請求項１】
ＧＰＳ受信機の設定機能と位置情報取得機能を有するＧＰＳ基板と、ＣＰＵ基板と、を備え、前記ＣＰＵ基板は、ＧＰＳ基板用ポートとＴＣＰ・ＵＤＰ／ＩＰ通信用ポートとを有することを特徴とする通信端末。
【請求項２】
請求項１記載の通信端末において、
前記ＣＰＵ基板は、通信端末内部状態設定・制御用ポートを有することを特徴とする通信端末。
【請求項３】
請求項１記載の通信端末において、
イーサネットインターフェースを有することを特徴とする通信端末。
【請求項４】
請求項１記載の通信端末において、
有線通信インターフェース及び無線通信インターフェースを有することを特徴とする通信端末。
【請求項５】
請求項２記載の通信端末において、
ＩＰアドレスと専用ポートを有し、無線エリア内の端末の管理をＩＰアドレスとポート番号で行い、外部端末に容易に接続し情報の取得と設定を可能とすることを特徴とする通信端末。
【発明の詳細な説明】
【技術分野】
【０００１】
本発明は、通信端末に関し、特にＩＰ通信機能をもった通信端末にＧＰＳ受信機を実装し、位置情報、通信機能および端末内部の情報などにＩＰのポートを割り当て、複数から同時に接続・通信できる機能を有した通信端末に関する。
【背景技術】
【０００２】
従来、ＧＰＳ受信機を使用した通信端末は、取得した位置情報の通信しか行うものがない。ＧＰＳ受信機と通信端末を接続し、決められた場所にＧＰＳ受信機の位置情報しか送れない。それ以外の情報の通信や設定などはできない（特許文献１−３参照）。
【特許文献１】特開２００３−２８３５４６号公報
【特許文献２】特開２００４−７８９１４号公報
【特許文献３】特開２００４−１５３４０４号公報
【発明の開示】
【発明が解決しようとする課題】
【０００３】
上記従来技術においては、通信端末内の位置情報のみを通信することしか考慮されていない。通信端末が持つ通信機能は、それ以外の情報も通信することができず、複数の相手の端末との通信することも考慮されていない。
また、通信端末とＧＰＳ受信機とが別々に分かれているため、それぞれの設定を行う必要があり、その設定なども、通信端末、ＧＰＳ受信機の各々の仕様などを確認の上で、行わなければならないことなどがあった。このため、外部機器がＧＰＳ受信機との通信を行う場合も、その処理を通信端末、ＧＰＳ受信機とで行う必要もあった。
【０００４】
本発明の目的は、通信端末がもつ通信機能を端末内の各機能で使用することができ、複数の相手端末との通信を同時に行えること、また、例えば外部機器との通信の処理の手順を従来よりも改善することを可能とする通信端末を提供することを目的とする。
【課題を解決するための手段】
【０００５】
以上の課題を解決するために、本発明は、ＧＰＳ受信機の設定機能と位置情報取得機能を有するＧＰＳ基板と、ＣＰＵ基板と、を備え、前記ＣＰＵ基板は、ＧＰＳ基板用ポートとＴＣＰ・ＵＤＰ／ＩＰ通信用ポートとを有する通信端末である。
【０００６】
また、本発明は、前記ＣＰＵ基板は、通信端末内部状態設定・制御用ポートを有する通信端末である。
【０００７】
そして、本発明は、イーサネット（登録商標）インターフェースを有する通信端末である。
【０００８】
更に、本発明は、有線通信インターフェース及び無線通信インターフェースを有する通信端末である。
【０００９】
また、本発明は、ＩＰアドレスと専用ポートを有し、無線エリア内の端末の管理をＩＰアドレスとポート番号で行い、外部端末に容易に接続し情報の取得と設定を可能とする通信端末である。ＧＰＳ受信機との接続に専用ポートを割り当て、ＧＰＳ受信機との通信は端末が行い、接続する側が、通信端末のＩＰアドレスとポート番号だけで、通信端末内部のＧＰＳ受信機と接続することができる。
【発明の効果】
【００１０】
本発明によれば、ＩＰのポートは、複数の接続を受け入れることができる。これにより、通信端末がもつ機能の情報を複数の相手端末と通信することが可能である。通信端末の持つ機能にポートを割り当てたことで、複数の機能の情報を同時に取得することが可能である。通信端末内にＩＰをもつことで、有線および無線によらずＩＰの通信を行うことができ、同様の機能を満たすことができる。通信端末が持つ機能をポート毎に割り当てるため、一つのＩＰアドレスで通信端末内の機能を管理することができる。
【発明を実施するための最良の形態】
【００１１】
本発明を実施するための最良の形態を説明する。
本発明の通信端末の実施例について、図面を用いて説明する。
【実施例１】
【００１２】
実施例１を説明する。本発明の第一の実施形態の通信端末について、図１〜図４を用いて説明する。図１に示すように、通信端末１は、イーサネット通信などのインターフェースドライバ２、ＴＣＰ／ＩＰ、ＵＤＰ／ＩＰなどのＩＰプロトコル３、そしてＧＰＳ受信機４を有しており、内部にＣＰＵ基板とＧＰＳ基板を備えている。インターフェースは、有線、無線のどちらも使用が可能で、複数有することが可能である。なお、イーサネット（登録商標）は、衝突検知つき搬送波検出多元接続方式の一つである。
【００１３】
本実施例の通信端末と接続機器とを、有線のイーサネットケーブル５で接続した利用図を図２に示す。通信端末１は、ＧＰＳ受信機（ＧＰＳ基板）８と端末制御部（ＣＰＵ基板）４とにより、ＧＰＳ受信機の設定機能と位置情報取得機能を有するとともに、ＴＣＰ／ＩＰもしくはＵＤＰ／ＩＰによる通信を行う。通信端末１は、接続・受信するポートをそれぞれに割り当てる。ここでは、通信用ポート６にポート１０００１、ＧＰＳ受信機の位置情報取得用ポート７をポート１０００２と設定している。ＧＰＳ受信機との接続および通信手順は、通信端末が行い、外部の接続機器は、ＩＰアドレスとポート番号のみでＧＰＳ受信機の通信・管理を行うことができる。
【００１４】
外部の接続機器は、通信端末１の通信用ポート６に接続すると通信端末１の制御・設定を行うことができ、位置情報取用ポート７に接続するとＧＰＳ受信機と通信でき、位置情報の取得が可能である。そして、それぞれの機能とポートを別にするとともに相互に独立しているので、同時に通信することが可能である。
【実施例２】
【００１５】
実施例２を説明する。本実施例の通信端末１は、図３に示すように、通信用ポート６、位置情報取得用ポート７及び無線通信ポート１３を有するインターフェースドライバ２と、無線通信ポート１１及び無線位置情報取得用ポート１２を有する無線インターフェースドライバ１０を備えている。通信用ポート６にポート１０００１、位置情報取得用ポート７にポート１０００２、無線通信ポート１３をポート１０００５、無線通信用ポート１１にポート１０００３、無線位置情報取得用ポート１２にポート１０００４と設定する。本実施例の通信端末１は、インターフェースにイーサネットケーブル５等との有線通信機能及び無線通信機能を有しており、有線の他に無線通信機能を持つことで、遠隔位置の相手機器と通信することが可能である。また、通信端末１内のポートは、複数の接続が可能であるので、複数の無線による相手機器との通信および同時にイーサネットケーブル５側の接続機器９との通信も可能である。
【００１６】
本実施例の通信端末１は、無線通信機能により位置情報を通信しながら有線接続した接続端末９とも通信することが可能である。これにより、無線位置情報取得用ポート１２を介し無線による遠隔から通信端末１の位置情報を取得しながら同時に接続機器９と通信・設定を行うことができる。また、接続機器９は、通信端末１から位置情報を取得しながら通信端末内の無線通信機能を使い、離れた相手と通信を行うことが可能である。
【実施例３】
【００１７】
実施例３を説明する。本実施例の通信端末１はＩＰのプロトコルを実装することから、ＩＰアドレスが割り当てられ、無線通信機能を有することができ、図４に示すように、接続した他の通信端末１の位置情報および接続機器９の情報を同時に離れた場所から取得することが可能である。エリア内の通信端末１は、全てＩＰアドレスによる管理が可能になり、設定・制御が行いやすく、ＩＰアドレスとポート番号の組み合わせで容易に情報の取得が可能である。同時に複数の接続が可能であるので、接続機器９も位置情報を無線側の機器と同時に取得することができる。また、位置情報を取得しながらそれにあわせた通信も同時に行うことができ、特定の場所による通信なども行うことが可能となる。
【００１８】
以上説明したように、実施例の通信端末にＴＣＰ／ＩＰもしくは、ＵＤＰ／ＩＰのＩＰプロトコルの実装を行い、通信をこのＩＰで行う。ＩＰ通信は、複数のポートで行うことが可能なので、それぞれの機能に必要なポートを割り当て、ポートと機能とをひも付けている。位置情報の取得用のポート、通信用のポート、端末制御用のポートのように機能ごとにポートを割り当てることで同時に全ての機能の通信を行うことができる。また、実施例の通信端末は、ＩＰを実装することからＩＰアドレスを割り当てている。このＩＰアドレスと割り当てたポート番号により通信端末内に機能を容易に管理することが可能となる。それぞれの機能を別々に接続した場合（通信端末に機器等を追加した場合）と比較して、設定等も不要となり、機能を一元的に管理することができる。（１つのＩＰアドレスと複数のポート番号で管理することが可能となる。）
【００１９】
図５は、通信端末とＧＰＳ受信機とが別体である場合に、外部機器がＧＰＳ受信機と通信を行う手順を説明するフローチャートである。
図５において、外部機器がＧＰＳ受信機から位置情報等の受信処理を始めると（ステップ５００）、先ず、外部機器と通信端末との通信接続を確立させる（ステップ５１０）。
次に、通信端末とＧＰＳ受信機との通信接続を確立させる（ステップ５２０）。上記、ステップ５１０、ステップ５２０で、外部機器とＧＰＳ受信機との通信接続が確立したので、外部機器とＧＰＳ受信機との間で、位置情報等の送受信を開始する（ステップ５３０）。
【００２０】
図６は、通信端末にＧＰＳ受信機を内蔵する実施例において、外部機器がＧＰＳ受信機と通信を行う手順を説明するフローチャートである。
図６において通信端末はＧＰＳ受信機を内蔵し、その通信をポートに割り当てているため、外部機器は、通信を開始する（ステップ６００）のに、通信端末の内蔵ＧＰＳ受信機に割り当てられたポートに接続することで、外部機器とＧＰＳ受信機との通信接続が確立する（ステップ６１０）。従って、ステップ６１０が処理されれば、その次のステップで、外部機器とＧＰＳ受信機との間で位置情報等の送受信を開始することが出来る（ステップ６２０）。
上述のように、本実施例によれば、図５にて示す通信端末とＧＰＳ受信機とが別体である場合に比較して、外部機器とＧＰＳ受信機との間での位置情報等の送受信が、より少ない手順にて実施可能となる。
【図面の簡単な説明】
【００２１】
【図１】実施例１の通信端末の構成の説明図である。
【図２】実施例１における接続機器から位置情報を取得および端末自体の制御を行える構成の説明図である。
【図３】実施例２のインターフェースに無線を用いた、通信端末の構成の説明図である。
【図４】実施例３における無線エリア内における通信端末の管理方法の説明図である。
【図５】従来の通信端末とＧＰＳ受信機が別構成のシステムにおける通信開始までのフローチャートである。
【図６】本発明を利用する実施例で、内蔵のＧＰＳ受信機にポートを割り当てたシステムにおける通信開始までのフローチャートである。
【符号の説明】
【００２２】
１・・・通信端末
２・・・インターフェースドライバ
３・・・ＩＰプロトコル
４・・・ＧＰＳ受信機
５・・・イーサネットケーブル
６・・・通信用ポート
７・・・位置情報取得用ポート
８・・・端末制御
９・・・接続機器
１０・・・無線インターフェースドライバ
１１・・・無線通信用ポート
１２・・・無線位置情報取得用ポート
１３・・・無線通信ポート
１４・・・無線エリア
【図１】
2007324701.tif 000003
【図２】
2007324701.tif 000004
【図３】
2007324701.tif 000005
【図４】
2007324701.tif 000006
【図５】
2007324701.tif 000007
【図６】
2007324701.tif 000008